(57)【要約】【課題】第１吸込具から外した第２吸込具で、天井なども容易に清掃できる電気掃除機用吸込具を提供する。【解決手段】被掃除面上の塵埃を吸引する第１吸込具（図示せず）と、底面に第２の吸気口１２を有し、上から第１吸込具に装着される第２吸込具１０とを備え、第２吸込具１０の後方に、上下、左右方向に回動自在の接続管８を有し、第２吸込具１０が、第１吸込具に装着されている時は、接続管８の左右方向での回動範囲を規制し、第１吸込具から分離されている時は、第２の吸気口１２が少なくとも上向きの状態になるまで回動できるようにしたもので、通常の床面掃除の際は、接続管８の左右方向での回動範囲が規制されているので、第１吸込具を持ち上げても、それが反転せず、第２吸込具１０を第１吸込具から外した時は、第２の吸気口１２が上向きにできるので、天井などの清掃が容易である。【選択図】 図９
2008148908.tif 000002
【特許請求の範囲】
【請求項１】
底面に設けた第１の吸気口より被掃除面上の塵埃を吸引する第１吸込具と、底面に設けた第２の吸気口より塵埃を吸引すると共に上方から前記第１吸込具に着脱自在に装着される第２吸込具とを備え、前記第２吸込具の後方に、電気掃除機本体に連通する延長管が接続されると共に上下方向及び左右方向に回動自在の接続管を有し、前記第２吸込具が前記第１吸込具に装着されているときは、前記接続管の左右方向での回動範囲を規制し、前記第２吸込具が前記第１吸込具から分離されているときは、前記第２の吸気口が少なくとも上向きの状態になるまで回動できるようにした電気掃除機用吸込具。
【請求項２】
第２吸込具に、第２の吸気口が上向きの状態で左右方向の回動をロックするロック手段を設けた請求項１に記載の電気掃除機用吸込具。
【請求項３】
第２吸込具の第２の吸気口が上向きの状態になったら、接続管の上下方向の回動範囲を規制することを特徴とする請求項１に記載の電気掃除機用吸込具。
【請求項４】
第２吸込具の本体と、接続管の双方から突出した突出部を嵌合させて、接続管の上下方向の回動範囲を規制するようにしたことを特徴とする請求項３に記載の電気掃除機用吸込具。
【請求項５】
電動送風機を内蔵した電気掃除機本体と、請求項１〜４のいずれか１項に記載の電気掃除機用吸込具と、前記電気掃除機本体と電気掃除機用吸込具とを連通するホースを備えた電気掃除機。
【発明の詳細な説明】
【技術分野】
【０００１】
本発明は、第１吸込具と、第１吸込具に着脱自在に装着される第２吸込具からなる電気掃除機用吸込具と、これを用いた電気掃除機に関するものである。
【背景技術】
【０００２】
従来のこの種の電気掃除機用吸込具として、通常の床面掃除用の第１吸込具と、家具間などの狭い場所を掃除するときに使用されると共に、第１吸込具に上方から着脱自在に装着される第２吸込具から構成され、第１吸込具の底面には、横長で被掃除面から塵埃を吸引するための第１の吸込口が配され、上面には、第２吸込具を収納する第２吸込具収納部が設けられ、第２吸込具の底面には、縦長で塵埃を吸引するための第２の吸込口が設けられ、第２吸込具の後端に、電気掃除機本体に連通接続された延長管に接続される接続管が左右、上下に回動自在に設けられ、第２吸込具を第１吸込具に装着したときに、第１の吸込口と、第２の吸込口と連通する通風路が連通するようにしたものがある。
【０００３】
通常の床面の掃除の時は、延長管に接続された第２吸込具を第１吸込具に装着して、延長管を前後、左右に操作して、第１吸込具を床面上で移動させながら掃除を行なう。
【０００４】
そして、家具間等の狭いところを掃除するときは、第１吸込具に設けた操作レバーを踏み込んで、第１吸込具と第２吸込具との係止を解除し、第２吸込具を延長管に接続したまま第１吸込具から外して、直ちに第２吸込具で家具間の狭いところの掃除を行なうことができるようになっている。
【０００５】
第２吸込具での掃除を終えた後、第２吸込具を延長管に接続したままで、第２吸込具を、第１吸込具に設けた第２吸込具収納部に押し込むと、第２吸込具が第１吸込具に係止され、再び通常の床面清掃ができるようになっている（例えば、特許文献１参照）。
【０００６】
上記従来の電気掃除機用吸込具は、上記構成により、第１吸込具と第２吸込具の切換えが腰をかがめること無くできるので、非常に便利であり、使用勝手が良いものである。
【０００７】
また、使い勝手をよくしたものとして、第２吸込具が下方に折れ曲がることでエアコンなどの高所の天面を掃除できるようにしたものも提案されている（例えば、特許文献２参照）。
【特許文献１】特開２００４−２８３２１６号公報
【特許文献２】特開２００６−２３０８７０号公報
【発明の開示】
【発明が解決しようとする課題】
【０００８】
しかしながら、上記従来の電気掃除機用吸込具の構成では、図１２に示すように、例えば、第１吸込具（図示せず）から外した第２吸込具４０に延長管４１を接続して、天井や、天井に設けた空気調和機のグリルなどを清掃する場合、第２吸込具４０の接続管４２は、第２の吸込口４３を下方に向けた状態でのみ左右に回動できるようになっており、第２の吸込口４３を反転、すなわち、真上にむけることができないため、ホース４４の端部に設けられ延長管４１に接続されたハンドル部４６を逆さにして、操作しなければならず、極めて使用勝手が悪いという課題があった。
【０００９】
これを解決するために、接続管４２を単純に３６０度回転自在にすることも考えられるが、これでは、第２吸込具４０を第１吸込具に装着して、通常の床面清掃をしているときに、延長管４１を持ち上げると、第１吸込具が容易に反転したり、縦方向になったりして、非常に使用勝手の悪いものとなる。
【００１０】
また、特許文献２に記載のものは、接続管の上下方向の回動範囲を大きくする必要があるが、接続管の構成によっては回動範囲を大きく出来ず、この構成を利用できない場合が有った。
【００１１】
本発明は、上記従来の課題を解決するもので、第２吸込具を第１吸込具に装着して行なう通常の床面の掃除の際は、掃除作業中に、延長管を持って電気掃除機用吸込具を持ち上げたとき、電気掃除機用吸込具が反転することが無く、また、第２吸込具を第１吸込具から外して、天井や、天井に設置された空気調和機のグリルなどを清掃するときは、延長管の向きを変えることなく容易に操作ができる。或いは、上下方向の回動が制限される接続管を用いてもエアコンなど高所上面の掃除を容易に行うことの出来るなど、比較的大型となってしまう第１吸込具よりも小型、軽量の第２吸込具を用いて高所の掃除を容易に行うことの出来る電気掃除機用吸込具及びこれを用いた電気掃除機を提供することを目的とする。
【課題を解決するための手段】
【００１２】
上記従来の課題を解決するために、本発明の電気掃除機用吸込具は、底面に設けた第１の吸気口より被掃除面上の塵埃を吸引する第１吸込具と、底面に設けた第２の吸気口より塵埃を吸引すると共に上方から前記第１吸込具に着脱自在に装着される第２吸込具とを備え、前記第２吸込具の後方に、電気掃除機本体に連通する延長管が接続されると共に上下方向及び左右方向に回動自在の接続管を有し、前記第２吸込具が前記第１吸込具に装着されているときは、前記接続管の左右方向での回動範囲を規制し、前記第２吸込具が前記第１吸込具から分離されているときは、前記第２の吸気口が少なくとも上向きの状態になるまで回動できるようにしたもので、第２吸込具を第１吸込具に装着して行なう通常の床面の掃除の際は、延長管が接続された接続管の左右方向での回動範囲が規制されているので、掃除作業中に、延長管を持って電気掃除機用吸込具を持ち上げたとき、電気掃除機用吸込具が反転することが無い。また、第２吸込具を第１吸込具から外して、天井や、天井に設置された空気調和機のグリルなどを清掃するときは、第２吸込具の第２の吸気口を上向きにできるまで回動できるので、延長管の操作が容易で、非常に使用勝手が良い。或いは、上下方向の回動が制限される接続管を用いる場合では、第２吸込具の吸気口が上向きになるまで左右方向に回動することでエアコンなど高所上面の掃除を容易に行うことが出来る。
【００１３】
また、本発明の電気掃除機は、電動送風機を内蔵した電気掃除機本体と、請求項１〜４のいずれか１項に記載の電気掃除機用吸込具と、前記電気掃除機本体と電気掃除機用吸込具とを連通するホースを備えたもので、使用勝手の良い電気掃除機を提供することが出来る。
【発明の効果】
【００１４】
本発明の電気掃除機用吸込具及び電気掃除機は、第２吸込具を第１吸込具に装着して行なう通常の床面の清掃は勿論、第１吸込具から外した第２吸込具で、天井や、天井に設置された空気調和機のグリルなども容易に清掃でき、使用勝手が良いものである。
【発明を実施するための最良の形態】
【００１５】
第１の発明は、底面に設けた第１の吸気口より被掃除面上の塵埃を吸引する第１吸込具と、底面に設けた第２の吸気口より塵埃を吸引すると共に上方から前記第１吸込具に着脱自在に装着される第２吸込具とを備え、前記第２吸込具の後方に、電気掃除機本体に連通する延長管が接続されると共に上下方向及び左右方向に回動自在の接続管を有し、前記第２吸込具が前記第１吸込具に装着されているときは、前記接続管の左右方向での回動範囲を規制し、前記第２吸込具が前記第１吸込具から分離されているときは、前記第２の吸気口が少なくとも上向きの状態になるまで回動できるようにしたもので、第２吸込具を第１吸込具に装着して行なう通常の床面の掃除の際は、延長管が接続された接続管の左右方向での回動範囲が規制されているので、掃除作業中に、延長管を持って電気掃除機用吸込具を持ち上げたとき、電気掃除機用吸込具が反転することが無い。また、第２吸込具を第１吸込具から外して、天井や、天井に設置された空気調和機のグリルなどを清掃するときは、第２吸込具の第２の吸気口を上向きにできるまで回動できるので、延長管の操作が容易で、非常に使用勝手が良い。
【００１６】
第２の発明は、特に、第１の発明の第２吸込具に、第２の吸気口が上向きの状態で左右方向の回動をロックするロック手段を設けたもので、第１吸込具から外した第２吸込具で、天井や、天井に設置された空気調和機のグリルなどを清掃するときに、第２吸込具の本体部分がぐらぐらせず、非常に使用勝手が良い。
【００１７】
第３の発明は、特に、第１の発明の第２吸込具の第２の吸気口が上向きの状態になったら、接続管の上下方向の回動範囲を規制するもので、接続管が必要以上に回動するのが規制されるので、電気掃除機用吸込具の操作が容易になる。
【００１８】
第４の発明は、特に、第３の発明の第２吸込具の本体と、接続管の双方から突出した突出部を嵌合させて、接続管の上下方向の回動範囲を規制するようにしたもので、安価な構成で回動範囲を規制することができる。
【００１９】
第５の発明は、電動送風機を内蔵した電気掃除機本体と、請求項１〜４のいずれか１項に記載の電気掃除機用吸込具と、前記電気掃除機本体と電気掃除機用吸込具とを連通するホースを備えたもので、使用勝手の良い電気掃除機を提供することが出来る。
【００２０】
以下、本発明の実施の形態について、図面を参照しながら説明する。なお、この実施の形態によって本発明が限定されるものではない。
【００２１】
（実施の形態１）
以下、本発明の第１の実施の形態における電気掃除機用吸込具について、図１〜図９を用いて説明する。 
【００２２】
図１は、本発明の実施の形態１における電気掃除機用吸込具が接続された電気掃除機の斜視図、図２は、同電気掃除機用吸込具の上面図、図３は、同電気掃除機用吸込具の第１吸込具の内部構成を示す上面図、図４は、同第１吸込具の下面図、  図５は、同第２吸込具の側面図、図６は、同第２吸込具の要部拡大断面図、図７は、同第２吸込具の側面図、 図８は、図２のＡ−Ａ断面図、図９は、同第２吸込具での天井掃除時の様子を示す図である。
【００２３】
図１において、電気掃除機１は、電動送風機（図示せず）を内蔵した掃除機本体２と、一端に手元ハンドル３を有し、他端に、掃除機本体２の前部に着脱自在に接続されるホース継ぎ手６を有するホース７と、下流側端部が手元ハンドル３に着脱自在に接続される延長管４とを備え、この延長管４の上流側端部に本実施の形態における電気掃除機用吸込具５（以下、「吸込具５」という）が着脱自在に接続されている。
【００２４】
吸込具５は、第１吸込具９と、後方に延長管４が接続されると共に、第１吸込具９に設けた吸込具収納部９ａに着脱自在に装着される第２吸込具１０から構成されている。
【００２５】
第２吸込具１０の第２吸込具本体１０ａには、前方に開口した先端吸気口１１と、底面に開口した第２の吸気口１２が設けられ、後部には、上下に回動自在の接続管８が左右方向に、且つ第２の吸気口１２が上向きになるまで回動自在に取着されている。
【００２６】
また、第２吸込具１０内には、先端吸気口１１及び第２の吸気口１２と、接続管８を連通させる通風路１０ｂが形成されている。
【００２７】
一方、第１吸込具９には、前方部に左右に伸びて下面に開口した第１の吸気口１３が設けられている。
【００２８】
第１の吸気口１３に臨み回転自在に設けられた回転ブラシ１４は、モーターやタービンなどからなる駆動源１５により回転駆動する。回転ブラシ１４を収納する吸気室１６の略中央部には、第２吸込具１０が第１吸込具９に装着されたときに、第２吸込具１０の先端吸気口１１と連通する連通口１７が設けられている。また、第２吸込具１０が第１吸込具９に収納されたときに、吸込具着脱手段１８により、第２吸込具１０が第１吸込具９に保持される。
【００２９】
本実施の形態においては、駆動源１５の駆動力は、ベルト１９により回転ブラシ１４に伝達される構成となっている。また、駆動源１５は、掃除機本体２から供給される電源を受けるために制御基盤２０と接続されている。制御基盤２０には、掃除機本体２からの電源を受ける端子２１も接続されている。制御基盤２０は、吸込具５が掃除面から離れたときに回転ブラシ１４の回転を停止させる離床検知部５１と、駆動源１５の回転が拘束されてしまったときに焼きつくのを防止するための電源遮断部２２を有している。
【００３０】
第１吸込具９の後方略中央部には、凹状の切欠き２３が設けられており、この切欠き２３を挟み込みように、第１吸込具９の下面から突出するローラーなどで構成された走行機構２４が設けられている。
【００３１】
第２吸込具１０の後方には、上下に回動する接続管８があり、接続管８の上下に回動する軸を第一軸２５とし、その第一軸２５を上下から挟持して、第一軸２５と直交する回動軸、第二軸２６を有する接続管保持部２７が構成されている。
【００３２】
接続管８の第２吸込具本体１０ａ側端部の頂部には、回動規制突起８ａが突出して設けられ、図８に示すように、接続管８を左右に回動させたときに、第１吸込具９の外郭９ｂに当接して、接続管８の左右方向での回動範囲を規制している。本実施の形態では、許容回動範囲αを左右、それぞれ８０度程度としているが、特に、これに限定するものではない。ただし、吸込具５の実際の使用勝手を考慮すれば、９０度以下にするのが望ましい。
【００３３】
接続管８と接続管保持部２７を中空にかつ回動自在に連結する連結部２８は、柔軟性を求められるため蛇腹などにより構成されている。また、第一軸２５を回動中心にして接続管８が回動する可動範囲は、吸込具５の水平面に対して、上下方向に略垂直、つまり第二軸２６に直行した軸面に対して略１８０°の範囲で回動出来る構成となっている。
【００３４】
また、第一軸２５の構造は、内部が中空な構造となっており、駆動源１５に電源を供給するための電線２９が配備されており、電線２９は、第一軸２５の内部で中空管３０を通して設けられている。また、接続管８の下面には起毛布やエラストマーなどで成型されたクッション部材３１が設置されている。
【００３５】
第２吸込具本体１０ａの外郭は、内管３２と外管３３から構成されており、内管３２の先端には先端吸気口１１があり、内管３２部が外管３３から延長されて第２吸込具１０が前後方向に伸縮するように構成されている。また、内管３２の先端には内管３２の外側面を覆うように設置され、使用時には先端吸気口１１の前方部を塞ぐように可動して、吸気風を下方に調整できるように設けたブラシ３４が可動自在に設けられている。ブラシ３４は樹脂部品に植毛などして構成されている。
【００３６】
以上のように構成された本実施の形態における吸込具５及びそれを接続した電気掃除機の動作、作用は以下の通りである。
【００３７】
第１吸込具９に第２吸込具１０をセットした状態で、掃除機本体２に延長管４、ホース７を介して接続することにより、通常の床面清掃用の電気掃除機と同じように使用することができる。掃除機本体２から供給される電源は、ホース７、延長管４内に配した配線（図示せず）を通って、更に第２吸込具１０、第１吸込具９を介して端子２１、制御回路２０を通じて、駆動源１５に供給される。そして、駆動源１５が作動することでその動力は、ベルト１９を介して回転ブラシ１４に伝達される。回転ブラシ１４で掻き取られた塵埃は、掃除機本体２により発生した負圧により、第１吸込具９の第１の吸気口１３から吸気室１６に集められ、連通口１７、第２吸込具１０の先端吸気口１１、通風路１０ｂを通じて、連結部２８、接続管８、延長管４、ホース７に至り掃除機本体２内に集塵される。
【００３８】
本実施の形態では、第２吸込具１０に設けた回動規制突起８ａにより、左右方向での回動範囲が１８０度以下に規制されているので、床面の清掃中に延長管４を持って、吸込具５を持ち上げたときに、吸込具５が、反転することが無く、非常に使用勝手が良いものである。
【００３９】
また、たんすなどの家具の上を清掃するときには、従来、ハタキや場合によっては踏み台などを用意して清掃する必要があるが、本実施の形態によれば、接続管８を下方に折り曲げることができるので、第１の吸気口１３を手元ハンドル３を上方に持ち上げたときに下方に向くように調節できるために、第１吸込具９がついた状態でも、家具上の清掃をすることができる。
【００４０】
次に、家具間の隙間や狭い場所を掃除する際には、吸込具着脱手段１８を足などで踏み込むことにより、第２吸込具１０を第１吸込具９から分離させて掃除することができる。若し、狭いとこで、少し奥まったところで第２吸込具１０の長さが若干足りない場合には、内管３２を引き出すことで長さを調整し、奥まった場所でも清掃することができる。また、サッシなど段がある場所で、先端吸気口１１では清掃しにくい場所では、ブラシ３４を展開することで先端吸気口１１の先にブラシ体を形成して、ブラシ３４で掻き出しながら段差部を清掃することもできる。
【００４１】
また、高所で、第１吸込具９では操作しにくい細かい場所、または第１吸込具９が重くて清掃しにくい場合には、第２吸込具１０を第１吸込具９から取り外し、同じように、接続管８を下方に曲げて、第２吸込具１０で清掃作業することで、掃除作業の負担を軽減できる。このときに、内管３２を外管３３から引き出すことや、ブラシ３４を展開することで、高所ですこし奥まった場所、細かい場所、段差部など幅広い掃除作業をすることができる。
【００４２】
また、天井や天井に設置された空気調和機の全面グリル（図示せず）を清掃する場合は、第２吸込具１０に延長管４を接続した状態で、吸込具着脱手段１８を踏んで第１吸込具９から取り外し、図９に示すように、第２吸込具１０の第２吸込具本体１０ａを反転させて、第２の吸気口１２を上方に向けることで、ホース７の先端に取り付けられた手元ハンドル３を通常の向きと同じ向きで操作しながら、清掃することができる。
【００４３】
以上のように、本実施の形態によれば、手元ハンドル３を操作し、吸込具着脱手段１８を操作するだけで、簡単に第２吸込具１０を第１吸込具９から着脱できると共に、通常の床面清掃は勿論、タンスなど背の高い家具の上、更には、天井や天井に設置した空気調和気のグリルなども、容易に清掃できる電気掃除機用吸込具を提供することができる。
【００４４】
（実施の形態２）
図１０（ａ）は、本発明の第２の実施の形態における電気掃除機用吸込具の第２吸込具の平面図、（ｂ）は、同第２吸込具の側面図、（ｃ）は、図１０（ｂ）のＢ矢視図、（ｄ）は、同第２吸込具の側面図（第２の吸気口を上向きにした状態）である。なお、上記第１の実施の形態における電気掃除機用吸込具と同一部分については、同一符号を付して、その説明を省略する。
【００４５】
図１０において、本実施の形態における第２吸込具３５は、第２吸込具本体３５ａの、接続管８側端部の頂部に係止部３５ｂを突出させて設け、第２吸込具３５の第２の吸気口３５ｃを上側にして、接続管８を下方斜めに回動させたときに、前記係止部３５ｂに嵌合して、接続管８の左右方向の回動をロックする被係止部８ｂを接続管８に突出させて設けたものである。すなわち、係止部３５ｂと被係止部８ｂとで、接続管８の左右方向の回動をロックするロック手段を形成している。
【００４６】
本実施の形態における電気掃除機用吸込具の第２吸込具３５は、以上のように構成されているので、第２吸込具３５の第２の吸気口３５ｃを上向きにして、天井面などを清掃するために、図１０（ｄ）に示すように、接続管８に接続された延長管４を下方斜めに傾けたときに、係止部３５ｂと被係止部８ｂが嵌合し、接続管８の左右方向の回動がロックされるので、第１吸込具９から外した第２吸込具３５で、天井や、天井に設置された空気調和機のグリルなどを清掃するときに、第２吸込具３５の第２吸込具本体３５ａがぐらぐらせず、非常に使用勝手が良いものである。
【００４７】
（実施の形態３）
図１１（ａ）は、本発明の第３の実施の形態における電気掃除機用吸込具の第２吸込具の平面図、（ｂ）は、同第２吸込具の側面図、（ｃ）は、同第２吸込具の側面図（第２の吸気口を上向きにした状態）である。なお、上記第１の実施の形態における電気掃除機用吸込具と同一部分については、同一符号を付して、その説明を省略する。
【００４８】
図１１において、本実施の形態における第２吸込具３７は、第２吸込具本体３７ａの、接続管８側端部に略半環状に突出させて係止部３７ｂを設け、第２吸込具３７の第２の吸気口３７ｃを上側にして、接続管８を下方斜めに回動させたときに、前記係止部３７ｂに嵌合して、接続管８の上下方向の回動範囲を規制する被係止部８ｃを接続管８に突出させて設けたものである。
【００４９】
本実施の形態における電気掃除機用吸込具の第２吸込具３７は、以上のように構成されているので、第２吸込具３７の第２の吸気口３７ｃを上向きにして、天井面などを清掃するために、図１１（ｃ）に示すように、接続管８に接続された延長管４を下方斜めに傾けたときに、係止部３７ｂと被係止部８ｃが嵌合し、接続管８の上下方向の回動範囲が規制されるので、接続管８が必要以上に回動するのが規制され、電気掃除機用吸込具の操作が容易になる。
【００５０】
また、本実施の形態では、係止部３７ｂを略半環状に突出させて設けているので、接続管８の上下方向の回動範囲は規制されるが、接続管８の左右方向の回動は自由なので、使用勝手が更に向上する。
【００５１】
また、上記第２及び第３の実施の形態においては、接続管８の左右方向の回動のロック或いは、上下方向の回動範囲の規制を、第２吸込具本体（３５ａ、３７ａ）と、接続管８の双方から突出した係止部（３５ｂ、３７ｂ）、被係止部（８ｂ、８ｃ）を嵌合させて行なうようにしたので、安価な構成で回動のロックや、回動範囲を規制することができる。
【００５２】
なお、図１０、図１１に示している被係止部（８ｂ、８ｃ）は第２の吸気口よりも下方に突出して図示しているが、回動可能に構成するなど通常の使用状態において邪魔にならないように構成することは言うまでもない。
【００５３】
（実施の形態４）
図１２（ａ）は、本発明の第４の実施の形態における電気掃除機用吸込具の第２吸込具の通常の使用状態における側面図、（ｂ）は、同第２吸込具の吸込具を上向きにした状態を示す側面図、（ｃ）は、（ｂ）の状態における使用状態を示す側面図である。なお、上記第１の実施の形態における電気掃除機用吸込具と同一部分については、同一符号を付して、その説明を省略する。
【００５４】
図１２において、本実施の形態における第２吸込具３８は、第２吸込具本体３８ａの、接続管８側端部に略半環状に下方に突出させて係止部３８ｂを設け、第２吸込具３８の第２の吸気口３８ｃを上側に回動させたときに、前記係止部３８ｂに嵌合して、接続管８の上下方向の回動範囲を規制する被係止部８ｄを接続管８に突出させて設けたものである。
【００５５】
本実施の形態における電気掃除機用吸込具の第２吸込具３８は、以上のように構成されているので、接続管８に接続された延長管４を上方斜めに傾けた状態で第２吸込具３８の第２の吸気口３８ｃを上向きになるように回動すると、図１２（ｂ）に示すように、係止部３８ｂと被係止部８ｄが嵌合し、接続管８の上下方向の回動範囲が規制されるので、接続管８が必要以上に回動するのが規制され、電気掃除機用吸込具の操作が容易になる。
【００５６】
この状態においては、図１２（ｃ）に示すように、第２の吸気口３８ｃが下向きになる形態で使用する。即ち、図１３に示すように手元ハンドル３が下になる状態とすることで、第２の吸気口３８ｃは下を向き、この状態においてエアコンなど高所の上面の掃除を行うことが出来る。
【００５７】
同様の掃除は、実施の形態１で示したように、接続管８そのものが下方に折れ曲がるように回動できれば可能ではあるが、その場合に必要な回動角度は、通常の使用状態における上方向の回動角度を床面から上方９０°、高所上面掃除の為の下方向の回動範囲を最大９０°とすると合計１８０°となってしまい、このような回動角度を実現できる接続管はその構成が限られてしまう。これに対し、本実施の形態の構成を用いれば、接続管は上方向に９０°回動できれば十分であり、手元ハンドルを下向きで使用する必要があるという多少の使い勝手の悪さはあるものの特殊な接続管の構成を用いることなくエアコンの高所上面の掃除が可能な吸込具を実現できるのである。
【００５８】
即ち、本実施の形態によれば、上方向の回動角度が９０°以下の接続管を用いてもエアコンの高所上面を掃除可能な吸込具およびこれを用いた電気掃除機を提供することが出来る。
【産業上の利用可能性】
【００５９】
以上のように本発明に係る電気掃除機用吸込具及び電気掃除機は、第２吸込具を第１吸込具に装着して行なう通常の床面の清掃は勿論、第１吸込具から外した第２吸込具で、天井や、天井に設置された空気調和機のグリルなども容易に清掃でき、使用勝手が良いもので、家庭用、業務用、店舗用の各種電気掃除機に適用できる。
【図面の簡単な説明】
【００６０】
【図１】本発明の実施の形態１における電気掃除機用吸込具が接続された電気掃除機の斜視図
【図２】同電気掃除機用吸込具の上面図
【図３】同電気掃除機用吸込具の第１吸込具の内部構成を示す上面図
【図４】同第１吸込具の下面図
【図５】同第２吸込具の側面図
【図６】同第２吸込具の要部拡大断面図
【図７】同第２吸込具の側面図
【図８】図２のＡ−Ａ断面図
【図９】同第２吸込具での天井掃除時の様子を示す図
【図１０】（ａ）本発明の第２の実施の形態における電気掃除機用吸込具の第２吸込具の平面図、（ｂ）同第２吸込具の側面図、（ｃ）図１０（ｂ）のＢ矢視図、（ｄ）同第２吸込具の第２の吸気口を上向きにした状態を示す側面図
【図１１】（ａ）本発明の第３の実施の形態における電気掃除機用吸込具の第２吸込具の平面図、（ｂ）同第２吸込具の側面図、（ｃ）同第２吸込具の第２の吸気口を上向きにした状態を示す側面図
【図１２】（ａ）本発明の第４の実施の形態における電気掃除機用吸込具の第２吸込具の通常の使用状態における側面図、（ｂ）同第２吸込具の吸込具を上向きにした状態を示す側面図、（ｃ）同第２吸込具の使用状態を示す側面図
【図１３】同第２吸込具でのエアコン上面掃除時の様子を示す図
【図１４】従来の電気掃除機用吸込具の第２吸込具での天井掃除時の様子を示す図
【符号の説明】
【００６１】
１      電気掃除機
４      延長管
５      電気掃除機用吸込具（吸込具）
８      接続管
８ａ    回動規制突起
８ｂ    被係止部（突出部、ロック手段）
８ｃ、８ｄ  被係止部（突出部）
９      第１吸込具
１０、３５、３７、３８  第２吸込具
１２、３５ｃ、３７ｃ、３８ｃ  第２の吸気口
１３    第１の吸気口
３５ｂ  係止部（突出部、ロック手段）
３７ｂ、３８ｂ  係止部（突出部）
【図１】
2008148908.tif 000003
【図２】
2008148908.tif 000004
【図３】
2008148908.tif 000005
【図４】
2008148908.tif 000006
【図５】
2008148908.tif 000007
【図６】
2008148908.tif 000008
【図７】
2008148908.tif 000009
【図８】
2008148908.tif 000010
【図９】
2008148908.tif 000011
【図１０】
2008148908.tif 000012
【図１１】
2008148908.tif 000013
【図１２】
2008148908.tif 000014
【図１３】
2008148908.tif 000015
【図１４】
2008148908.tif 000016